(57)【要約】      （修正有）【課題】高級感を醸し出すつまようじとつまようじケースを提供する。【解決手段】このつまようじ群４は、長さが７０ｍｍで、幅が３０ｍｍの凹凸板状を呈して形成され、幅方向に複数本のつまようじ１が夫々繋がることなく独立して並列状態につまようじ群４として形成する。つまようじ群４の基部５は、夫々のつまようじ１の延長部と幅方向の延長部を互いに繋いだ薄肉連軸部とからなり、各つまようじ１と基部５とは、小径薄肉状の切取り部６によって繋がれ、この切取り部６によって基部５から各つまようじ１を一本ごとに切取り可能とする。さらにつまようじ１は全体を着色した合成樹脂により形成し、その先端部３は極薄板状に形成する。【選択図】図３
0003153136.tif 000002
【実用新案登録請求の範囲】
【請求項１】
小径棒状の柄部とその先端部である掃除部とからなるつまようじにおいて、つまようじ全体を着色した合成樹脂によって形成され、その先端部が極薄板状の偏平掃除部３に形成してなることを特徴とするつまようじ。
【請求項２】
複数のつまようじを幅方向に並列して連軸状に繋がってつまようじ群に束ねるための基部と、該基部に小径薄肉状の切取り部を介して互いに独立したつまようじを形成してなるつまようじ群と、からなる請求項１に記載のつまようじ。
【請求項３】
上面が開口した偏平箱状のケース本体と、該ケース本体の開口部をカバーする透明カバーとからなり、ケース本体の基端部と該基端部の開口部をカバーするようにして固着される透明カバーの基端部とに囲繞されてつまようじ群の基部を収容する収容部が形成され、透明カバーは、その基端部に形成された薄肉ヒンジ部によってケース本体に収容されるつまようじ群に対して上向きに開放されるようになっており、ケース本体は、その基端部より先端部寄りの位置に形成された薄肉ヒンジ部によってつまようじ群に対して下向きに開放されるようになっていることを特徴とするつまようじケース。
【考案の詳細な説明】
【技術分野】
【０００１】
本考案は、外観上の体裁の良い合成樹脂製のつまようじとこれを収納するつまようじケースに関する。
【背景技術】
【０００２】
従来、合成樹脂製のつまようじ及びこれを収納する携帯用のつまようじケースとして、例えば特許文献１に示すようなつまようじとこれを収納するケースが提案されているが、つまようじの外観上の体裁に問題があったり、そのケースが開放型であるため衛生上、また外観上の体裁にも問題があった。
【先行技術文献】
【特許文献】
【０００３】
【特許文献１】特願平１０ー５２５１号公報
【考案の概要】
【考案が解決しようとする課題】
【０００４】
本考案は、合成樹脂製のつまようじとして外観上の体裁に配慮し、且つこれを収納するケースについても衛生上及び外観上の問題を解消することを目的とした合成樹脂製のつまようじ及びその携帯用収納ケースを提案するものである。
【課題を解決するための手段】
【０００５】
上記目的を達成するため、請求項１に記載の考案に係るつまようじは、小径棒状の柄部２とその先端部である掃除部３とからなるつまようじ１において、つまようじ全体を着色した合成樹脂によって形成され、その先端部が極薄板状の偏平掃除部３に形成してなることを特徴とする。
【０００６】
また、請求項２に記載の考案に係るつまようじは、複数のつまようじ１を幅方向に並列して連軸状に繋がってつまようじ群４に束ねるための基部５と、該基部５に小径薄肉状の切取り部６を介して互いに独立したつまようじ１を形成してなるつまようじ群４と、からなる請求項１に記載の構成からなるものである。
【０００７】
また、請求項３に記載の考案に係るつまようじケース７は、上面が開口した偏平箱状のケース本体８と、該ケース本体８の開口部９をカバーする透明カバー１０とからなり、ケース本体８の基端部１１と該基端部１１の開口部９をカバーするようにして固着される透明カバー１０の基端部１２とに囲繞されてつまようじ群４の基部５を収容する収容部１３が形成され、透明カバー１０は、その基端部１２に形成された薄肉ヒンジ部１４によってケース本体８に収容されるつまようじ群４に対して上向きに開放されるようになっており、ケース本体８は、その基端部１１より先端部寄りの位置に形成された薄肉ヒンジ部１５によってつまようじ群４に対して下向きに開放されるようになっていることを特徴とする。
【考案の効果】
【０００８】
請求項１に記載の考案に係るつまようじ１によれば、つまようじ全体が着色した合成樹脂によって形成されるため、従来の常識を覆したカラフルなつまようじ１となり、使用者に良好な印象を与えることになり、また購買意欲を増進することができ、従来のつまようじのような木製の色相や無色ないし白色といった地味な色相のつまようじに対して高級感をも与えることになる。
【０００９】
請求項２に記載の考案に係るつまようじ１によれば、つまようじ全体が着色した合成樹脂によって形成され、この彩色の施されたつまようじ１がつまようじ群４として形成されるため、一層目立ったカラフルなつまようじ群４を形成することになり、店頭における購買意欲を一層増進させることができる。
【００１０】
請求項３に記載の考案に係るつまようじケース７によれば、上面が開口した偏平箱状のケース本体８と、ケース本体８の開口部９をカバーする透明カバー１０とからなり、ケース本体８の基端部１１と該基端部１１の開口部９をカバーするようにして固着される透明カバー１０の基端部１１とに囲繞されてつまようじ群４の基部５を収容する収容部１３が形成され、透明カバー１０は、その基端部１１に形成された薄肉ヒンジ部１４によってケース本体８に収容されるつまようじ群４に対して上向きに開放されるようになっており、ケース本体８は、その基端部１２より先端部寄りの位置に形成された薄肉ヒンジ部１５によってつまようじ群４に対して下向きに開放されるようになっているため、ケース本体８に収容されているつまようじ群４から一本のつまようじ１をその基端部１１の小径薄肉状の切取り部６から切り取って取り出す際に、透明カバー１０を上向きに、ケース本体８を下向きに開放することによってつまようじ１を手軽にケース本体８から取り出すことができ、その使用勝手が非常によい。
【００１１】
しかも、上述のように透明カバー１０は、その基端部１１に形成された薄肉ヒンジ部１４を中心に上向きに開放されるのに対し、ケース本体８は、その基端部１２より先端部寄りの位置に形成された薄肉ヒンジ部１５によって下向きに開放されることによって、ケース本体８に収容されているつまようじ１を一層取り出しやすくなることが実験の結果分かっている。
【図面の簡単な説明】
【００１２】
【図１】本考案の一実施形態のつまようじを示す斜視図である。
【図２】（ａ）は、図１のＡーＡ線断面図、（ｂ）は、図１のＢーＢ線断面図、（ｃ）は、図１のＣーＣ線断面図である。
【図３】つまようじ群を示す斜視図である。
【図４】（ａ）は、つまようじの斜視図、（ｂ）は、同正面図である。
【図５】本考案の一実施形態のつまようじケースを示す斜視図である。
【図６】図５のＤーＤ線断面図である。
【図７】図５のＥーＥ線断面図である。
【図８】図５のＦーＦ線断面図である。
【図９】同つまようじケースの使用状態を示す斜視図である。
【図１０】同つまようじケースの使用状態を示す斜視図である。
【図１１】同つまようじケースの使用状態を示す斜視図である。
【考案を実施するための形態】
【００１３】
図１は、本考案の実施の一形態であるつまようじ群４を示すもので、このつまようじ群４は、長さＬ１が７０ｍｍで、幅Ｌ２が３０ｍｍの凹凸板状を呈して形成され、図１のＡーＡ線断面図である図２の（ａ）に示すように幅方向に複数本のつまようじ１が夫々繋がることなく独立して並列状態につまようじ群４として形成され、つまようじ群４の基部５は、図１のＣーＣ断面図である図２の（ｃ）に示すように、夫々のつまようじ１の延長部１ａと幅方向の延長部１ａを互いに繋いだ薄肉連軸部１６とからなり、各つまようじ１と基部５とは、図１のＢーＢ線を示す図２の（ｂ）に示すように、小径薄肉状の切取り部６によって繋がれ、かつ図３に示すように、この切取り部６によって基部５から各つまようじ１を一本ごとに切取り可能となっている。
【００１４】
そして、本考案の特徴とする点であるが、つまようじ群４、すなわち各つまようじ１はポリスチレン等の原料合成樹脂（例えば日本化成株式会社の商品名ハイパクト５０／５０）に着色顔料を混合して、これをつまようじ群４に着色型成形したことを特徴とするものである。着色顔料としては日本化成株式会社のピンク色顔料（例えば日本化成株式会社の商品名ＰＳ３５ー０７１３３）、イエロー色顔料（例えば日本化成株式会社の商品名ＰＳ３３ー０２２３２）、あるいはグリーン色顔料（例えば日本化成株式会社の商品名ＰＳ３２ー０９９６９）を挙げることができる。
【００１５】
そして、図３に示すように、つまようじ群４の基部５から切取り部６によって切り取ったつまようじ１の構造を、図４の（ａ）及び（ｂ）によって詳細に説明すると、このつまようじ１は、ピンク色、イエロー色、あるいはグリーン色のように非常にカラフルな外観を呈し、従来の地味な色相のつまようじの外観を一掃するものである。このつまようじ１の柄部２の外径Ｌ３は２．０ｍｍ程度で、柄部２の長さＬ４は５０〜６０ｍｍ程度で、掃除部３の長さＬ５は７ｍｍ程度で、この７ｍｍの長さの掃除部３の全域が略同じ厚みＬ６、例えば０．１〜０．２ｍｍ程度で、幅Ｌ７が２ｍｍ程度の極薄板状の偏平の先端掃除部３に形成されている。このように偏平先端掃除部３が０．１〜０．２ｍｍ程度の厚みＬ６の極薄板状に形成されるためには、従来の木製では困難であり、ポリスチレン等等の合成樹脂によってのみ可能であり、ある程度の弾性を有して折れることなく使用することができる。特に、このように偏平先端掃除部３の厚みＬ６が０．１〜０．２ｍｍ程度の極薄板状に形成されることによって、歯間部に偏平先端掃除部３を侵入させやすく、これら歯間部に残っている食物の食べ滓を効率よく取り除くことができる。
【００１６】
また、つまようじ１の全体がカラフルな色彩を呈するのに加えて、つまようじ１の偏平掃除部３が極薄板状に形成されることによって全体がスマートで、高級なつまようじ１として印象を与え、購買意欲を増進させることができる。
【００１７】
図５は、つまようじケース７を示すもので、図１に示す長さＬ１が７０ｍｍで、幅Ｌ２が３０ｍｍの略板状のつまようじ群４を、この偏平なケース７に収容して使用するものであり、図６に示すように、上面部９が開口し、内部の深さＬ８が２．１ｍｍ程度で（図８）、長さＬ９が８０ｍｍ程度で、幅Ｌ１０が４０ｍｍ程度の偏平箱状のケース本体８と、ケース本体８の上面開口部９をカバーする透明ポリスチレン等の透明合成樹脂からなる０．２ｍｍ程度の厚みＬ１１の透明カバー１０とからなる。そしてケース本体８の基端部１１と該基端部１１の開口部９をカバーするようにして固着される透明カバー１０の基端部１２とに囲繞されて、図１に示す長さＬ１２が１５ｍｍ程度で、幅Ｌ１３が３０ｍｍ程度のつまようじ群基部５を収容する収容部１３（図８をも参照）が形成され、透明カバー１０は、長さが１８ｍｍ程度の基端部１２に形成された薄肉ヒンジ部１４によってケース本体８に収容されるつまようじ群４に対して上向きに開放されるようになっており、ケース本体８は、その基端部１１より先端部寄りの位置に形成された薄肉ヒンジ部１５によってつまようじ群４に対して下向きに開放されるようになっている。ケース本体８に収容されているつまようじ群４から一本のつまようじ１をその基端部１１の小径薄肉状の切取り部６から切り取って取り出す際に、透明カバー１０を上向きに、ケース本体８を下向きに開放することによってつまようじ１を手軽にケース本体８から取り出すことができ、その使用勝手が非常によい。
【００１８】
すなわち、図７に示すように、透明カバー１０の基端部１１の端縁から１８ｍｍの長さＬ１４のところの内側に、図示のように切欠部１４ａを設けることによって薄肉ヒンジ部１４が形成され、これによって透明カバー１０は該薄肉ヒンジ部１４を支点として矢印で示すように上向きに開放することができるようになっている。また、ケース本体８の基端部１２では、その端縁から３５ｍｍの長さＬ１５のところの内側に、図示のように切欠部１５ａを設けることによって薄肉ヒンジ部１５が形成され、これによってケース本体８は該薄肉ヒンジ部１５を支点として矢印で示すように下向きに開放することができるようになっている。
【００１９】
そして、図９に示すように、つまようじケース７に収容されているつまようじ群４から一本のつまようじ１を取り出す際には、透明カバー１０を薄肉ヒンジ部１４を支点として上向きに開放し、ケース本体８もその薄肉ヒンジ部１５を支点として下向きに開放することによって、つまようじ群４は、その基部５がケース７の収容部１３に収容された状態で、先端部側が透明カバー１０及びケース本体８から離れて飛び出し状に現れるから、図１０に示すように、両手で透明カバー１０とケース本体８とを開放状態に維持し、一方の手でつまようじ群４から一本のつまようじ１をその切取り部６から切り取ることによって該つまようじ１を容易に切り取ることができる。この際に、透明カバー１０は、前述のように、その基端部１２の端縁から１８ｍｍのところに形成された薄肉ヒンジ部１４を中心に上向きに開放されるのに対し、ケース本体８は、その基端部１１の端縁より先端部寄りの３５ｍｍのところの位置に形成された薄肉ヒンジ部１５によって下向きに開放されることによって、ケース本体８に収容されているつまようじ１を一層取り出しやすくなることが実験の結果分かっている。
【００２０】
図１１は、つまようじケース７に収容されているつまようじ群４から一本ごとにつまようじ１を切り取ったのちに、一本のつまようじ１のみが基部５に連結されている状態となったときは、その最後のつまようじ１を基部５ごと収容部１３から抜け出すように取り出すことによって、該基部５を収容部１３から容易に撤去することができ、この後に新しいつまようじ群４をつまようじケース７に収容するようにすれば、つまようじケース７を繰り返し使用することができる。
【００２１】
以上のように、本考案に係るつまようじ１によれば、その全体がカラフルに彩色されたカラーつまようじ１からなるため、意匠的にも特異性を発揮し、高級なイメージを醸し出し、購買意欲をも増進させる画期的なつまようじとして使用することができる。
【符号の説明】
【００２２】
１    つまようじ
２    柄部
３    掃除部
４    つまようじ群
５    基部
６    小径薄肉状の切取り部
７    つまようじケース
８    ケース本体
９    開口部
１０  透明カバー
１１  基端部
１２  基端部
１３  収容部
１４  薄肉ヒンジ部
１５  薄肉ヒンジ部
【図１】
0003153136.tif 000003
【図２】
0003153136.tif 000004
【図３】
0003153136.tif 000005
【図４】
0003153136.tif 000006
【図５】
0003153136.tif 000007
【図６】
0003153136.tif 000008
【図７】
0003153136.tif 000009
【図８】
0003153136.tif 000010
【図９】
0003153136.tif 000011
【図１０】
0003153136.tif 000012
【図１１】
0003153136.tif 000013
【手続補正書】
【提出日】平成21年6月19日(2009.6.19)
【手続補正１】
【補正対象書類名】実用新案登録請求の範囲
【補正対象項目名】全文
【補正方法】変更
【補正の内容】
【実用新案登録請求の範囲】
【請求項１】
小径棒状の柄部とその先端部である掃除部とからなるつまようじにおいて、つまようじ全体を着色した合成樹脂によって形成され、その先端部が極薄板状の偏平掃除部３に形成してなることを特徴とするつまようじ。
【請求項２】
複数のつまようじを幅方向に並列して連軸状に繋がってつまようじ群に束ねるための基部と、該基部に小径薄肉状の切取り部を介して互いに独立したつまようじを形成してなるつまようじ群と、からなる請求項１に記載のつまようじ。
【請求項３】
請求項２に記載のつまようじを収容するようにしたつまようじケースであって、上面が開口した偏平箱状のケース本体と、該ケース本体の開口部をカバーする透明カバーとからなり、ケース本体の基端部と該基端部の開口部をカバーするようにして固着される透明カバーの基端部とに囲繞されてつまようじ群の基部を収容する収容部が形成され、透明カバーは、その基端部に形成された薄肉ヒンジ部によってケース本体に収容されるつまようじ群に対して上向きに開放されるようになっており、ケース本体は、その基端部より先端部寄りの位置に形成された薄肉ヒンジ部によってつまようじ群に対して下向きに開放されるようになっていることを特徴とするつまようじケース。
【手続補正２】
【補正対象書類名】明細書
【補正対象項目名】０００７
【補正方法】変更
【補正の内容】
【０００７】
また、請求項３に記載の考案に係るつまようじケース７は、請求項２に記載のつまようじを収容するようにしたつまようじケースであって、上面が開口した偏平箱状のケース本体８と、該ケース本体８の開口部９をカバーする透明カバー１０とからなり、ケース本体８の基端部１１と該基端部１１の開口部９をカバーするようにして固着される透明カバー１０の基端部１２とに囲繞されてつまようじ群４の基部５を収容する収容部１３が形成され、透明カバー１０は、その基端部１２に形成された薄肉ヒンジ部１４によってケース本体８に収容されるつまようじ群４に対して上向きに開放されるようになっており、ケース本体８は、その基端部１１より先端部寄りの位置に形成された薄肉ヒンジ部１５によってつまようじ群４に対して下向きに開放されるようになっていることを特徴とする。